【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
通信インターフェースと、
前のオーバーヘッドメッセージに対応するセクタインジケータと、前記前のオーバーヘッドメッセージに対応する少なくとも１つのシーケンス番号とを備える非一時的な記憶媒体と、
前記通信インターフェースと前記記憶媒体とに結合された処理回路であって、
前記通信インターフェースを介して、それぞれ後続のオーバーヘッドメッセージに対応する後続のセクタインジケータと少なくとも１つの後続のシーケンス番号とを受信することであって、前記後続のセクタインジケータが、前記後続のオーバーヘッドメッセージを含む一般ページメッセージ中に少なくとも１つの予約済みビットの値を備える、受信することと、
前記後続のセクタインジケータの値が、前記記憶媒体に記憶された前記セクタインジケータの前記値と同じであるかどうかを判断することと、
前記少なくとも１つの後続のシーケンス番号が、前記記憶媒体に記憶された前記少なくとも１つのシーケンス番号と同じであるかどうかを判断することと、
前記後続のセクタインジケータが、前記記憶媒体に記憶された前記セクタインジケータと同じであるとき、および前記少なくとも１つの後続のシーケンス番号が、前記記憶媒体に記憶された前記少なくとも１つのシーケンス番号と同じであるとき、前記後続のオーバーヘッドメッセージを無視することと
を行うように構成された処理回路と
を備える、アクセス端末。
【請求項２】
前記処理回路が、
前記後続のセクタインジケータが、前記非一時的な記憶媒体に記憶された前記セクタインジケータとは異なるとき、前記後続のオーバーヘッドメッセージを取得すること
を行うようにさらに構成された、請求項１に記載のアクセス端末。
【請求項３】
前記処理回路が、
前記少なくとも１つの後続のシーケンス番号が、前記非一時的な記憶媒体に記憶された前記少なくとも１つのシーケンス番号とは異なるとき、前記後続のオーバーヘッドメッセージを取得すること
を行うようにさらに構成された、請求項１に記載のアクセス端末。
【請求項４】
一般ページメッセージを処理する方法であって、
一般ページメッセージの少なくとも１つの予約済みビットの値として後続のセクタインジケータを含む前記一般ページメッセージを受信することと、
前記一般ページメッセージから、それぞれ後続のオーバーヘッドメッセージに対応する前記後続のセクタインジケータと少なくとも１つの後続のシーケンス番号とを取得することと、
前記後続のセクタインジケータが、記憶されたセクタインジケータと同じであるかどうかを判断することと、
前記少なくとも１つの後続のシーケンス番号が、少なくとも１つの記憶されたシーケンス番号と同じであるかどうかを判断することと、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視することと
を備える、方法。
【請求項５】
前記後続のセクタインジケータと前記少なくとも１つの後続のシーケンス番号とを取得するより前に、前記記憶されたセクタインジケータと前記少なくとも１つの記憶されたシーケンス番号とを備える前のオーバーヘッドメッセージを受信することと、
前記記憶されたセクタインジケータと前記少なくとも１つの記憶されたシーケンス番号とを記憶することと
をさらに備える、請求項４に記載の方法。
【請求項６】
前記一般ページメッセージが前記後続のオーバーヘッドメッセージを備える、請求項４に記載の方法。
【請求項７】
前記後続のセクタインジケータが、前記記憶されたセクタインジケータと同じであるかどうかを判断することが、
前記後続のオーバーヘッドメッセージに対応する前記少なくとも１つの前記予約済みビットの値が、前のオーバーヘッドメッセージに対応する少なくとも１つの予約済みビットの記憶された値と同じであるかどうかを判断すること
を備える、請求項４に記載の方法。
【請求項８】
前記後続のセクタインジケータが、前記記憶されたセクタインジケータとは異なるとき、前記後続のオーバーヘッドメッセージを受信すること
をさらに備える、請求項４に記載の方法。
【請求項９】
前記少なくとも１つの後続のシーケンス番号が、前記少なくとも１つの記憶されたシーケンス番号とは異なるとき、前記後続のオーバーヘッドメッセージを受信すること
をさらに備える、請求項４に記載の方法。
【請求項１０】
一般ページメッセージの少なくとも１つの予約済みビットの値として後続のセクタインジケータを含む前記一般ページメッセージを受信するための手段と、
前記一般ページメッセージから、それぞれ後続のオーバーヘッドメッセージに対応する前記後続のセクタインジケータと少なくとも１つの後続のシーケンス番号とを取得するための手段と、
前記後続のセクタインジケータが、記憶されたセクタインジケータと同じであるかどうかを判断するための手段と、
前記少なくとも１つの後続のシーケンス番号が、少なくとも１つの記憶されたシーケンス番号と同じであるかどうかを判断するための手段と、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視するための手段と
を備える、アクセス端末。
【請求項１１】
前記後続のセクタインジケータが、前記後続のオーバーヘッドメッセージに対応する少なくとも１つの予約済みビットの値を備え、
前記記憶されたセクタインジケータが、前のオーバーヘッドメッセージに対応する少なくとも１つの予約済みビットの値を備える、
請求項１０に記載のアクセス端末。
【請求項１２】
前記後続のセクタインジケータが、前記記憶されたセクタインジケータとは異なるとき、前記後続のオーバーヘッドメッセージを受信するための手段
をさらに備える、請求項１０に記載のアクセス端末。
【請求項１３】
前記少なくとも１つの後続のシーケンス番号が、前記少なくとも１つの記憶されたシーケンス番号とは異なるとき、前記後続のオーバーヘッドメッセージを受信するための手段
をさらに備える、請求項１０に記載のアクセス端末。
【請求項１４】
コンピュータによって実行されると、
一般ページメッセージの少なくとも１つの予約済みビットの値として後続のセクタインジケータを含む前記一般ページメッセージを受信することと、
前記一般ページメッセージから、それぞれ後続のオーバーヘッドメッセージに対応する前記後続のセクタインジケータと少なくとも１つの後続のシーケンス番号とを取得することと、
前記後続のセクタインジケータが、記憶されたセクタインジケータと同じであるかどうかを判断することと、
前記少なくとも１つの後続のシーケンス番号が、少なくとも１つの記憶されたシーケンス番号と同じであるかどうかを判断することと、
前記後続のセクタインジケータが、前記記憶されたセクタインジケータと同じであるとき、および前記少なくとも１つの後続のシーケンス番号が、前記少なくとも１つの記憶されたシーケンス番号と同じであるとき、前記後続のオーバーヘッドメッセージを無視することと
を行う命令を記憶した非一時的なコンピュータ可読記憶媒体。
【請求項１５】
前記後続のセクタインジケータが、前記後続のオーバーヘッドメッセージに対応する少なくとも１つの予約済みビットの値を備え、
前記記憶されたセクタインジケータが、前のオーバーヘッドメッセージに対応する少なくとも１つの予約済みビットの値を備える、請求項１４に記載の非一時的なコンピュータ可読記憶媒体。
【請求項１６】
コンピュータに、
前記後続のセクタインジケータが、前記記憶されたセクタインジケータとは異なるとき、前記後続のオーバーヘッドメッセージを受信すること
を行わせるためのプログラミングをさらに備える、請求項１４に記載の非一時的なコンピュータ可読記憶媒体。
【請求項１７】
コンピュータに、
前記少なくとも１つの後続のシーケンス番号が、前記記憶媒体に記憶された前記少なくとも１つのシーケンス番号とは異なるとき、前記後続のオーバーヘッドメッセージを受信すること
を行わせるためのプログラミングをさらに備える、請求項１４に記載の非一時的なコンピュータ可読記憶媒体。
【請求項１８】
通信インターフェースと、
一般ページメッセージ動作を備える非一時的な記憶媒体と、
前記通信インターフェースと前記非一時的な記憶媒体とに結合された処理回路であって、
一般ページメッセージを別のセクタに関連するメッセージと区別するように構成されたセクタインジケータを含む前記一般ページメッセージを生成することであって、前記セクタインジケータが、前記一般ページメッセージ中に少なくとも１つの非割当ての予約済みビットの値を備える、生成することと、
前記通信インターフェースを介して前記一般ページメッセージを送信することと
を備える前記一般ページメッセージ動作を行うように構成された処理回路と
を備える、ネットワークノード。
【請求項１９】
前記セクタインジケータの前記値が、前記一般ページメッセージを別のセクタに関連するメッセージと区別するように構成された、請求項１８に記載のネットワークノード。
【請求項２０】
前記一般ページメッセージが、１つまたは複数の対応するシーケンス番号を備えるオーバーヘッドメッセージを含む、請求項１８に記載のネットワークノード。
【請求項２１】
前記処理回路が、
パイロット上で前記一般ページメッセージを送信することであって、前記パイロットが、前記別のセクタによって採用されるパイロットと同じパイロットである、送信すること
を備える前記一般ページメッセージ動作を行うように構成された、請求項１８に記載のネットワークノード。
【請求項２２】
前記処理回路が、
前記一般ページメッセージが生成される前に、前記別のセクタが同じパイロットを採用すると判断すること
を備える前記一般ページメッセージ動作を行うように構成された、請求項２１に記載のネットワークノード。
【請求項２３】
ネットワークノードにおいて一般ページメッセージを処理する方法であって、
一般ページメッセージを別のセクタに関連するメッセージと区別するように構成されたセクタインジケータを備える前記一般ページメッセージを生成することであって、前記セクタインジケータが、前記一般ページメッセージ中に少なくとも１つの非割当ての予約済みビットの値を備える、生成することと、
前記一般ページメッセージを送信することと
を備える、方法。
【請求項２４】
前記セクタインジケータの前記値が、前記一般ページメッセージを別のセクタに関連するメッセージと区別する、請求項２３に記載の方法。
【請求項２５】
前記一般ページメッセージが、１つまたは複数の対応するシーケンス番号をもつオーバーヘッドメッセージを備える、請求項２３に記載の方法。
【請求項２６】
前記一般ページメッセージを送信することが、
パイロット上で前記一般ページメッセージを送信することであって、前記パイロットが、前記別のセクタによって採用されるパイロットと同じパイロットである、送信すること
を備える、請求項２３に記載の方法。
【請求項２７】
前記一般ページメッセージを生成するより前に、前記別のセクタが同じパイロットを採用すると判断すること
をさらに備える、請求項２６に記載の方法。
【請求項２８】
一般ページメッセージを別のセクタに関連するメッセージと区別するように構成されたセクタインジケータを備える前記一般ページメッセージを生成するための手段であって、前記セクタインジケータが、前記一般ページメッセージ中に少なくとも１つの非割当ての予約済みビットの値を備える、生成するための手段と、
前記一般ページメッセージを送信するための手段と
を備える、ネットワークノード。
【請求項２９】
前記セクタインジケータの前記値が、前記一般ページメッセージを別のセクタに関連するメッセージと区別するように構成された、請求項２８に記載のネットワークノード。
【請求項３０】
前記一般ページメッセージが、１つまたは複数の対応するシーケンス番号を備えるオーバーヘッドメッセージを備える、請求項２８に記載のネットワークノード。